(57)【要約】【課題】アンテナ１基分の設置スペースでダイバーシティ受信及びダイバーシティ送信を可能とし、小形、軽量で設置場所の制約を受けにくくする。【解決手段】取付基板１１の一方の面に入出力接栓１２ａ、１２ｂを設け、他方の面の中心部に絶縁筒１３を装着する。絶縁筒１３には、先端近傍の外周面に放射素子１４ａ、１４ｂをその中心軸が絶縁筒１３の中心軸に一致し、かつ互いに直交するように装着すると共に、放射素子１４ａ、１４ｂと回転対称となる位置に放射素子１４ｃ、１４ｄを配置して２系統のダイポールアンテナを構成し、同軸ケーブル１５ａ、１５ｂにより入出力接栓１２ａ、１２ｂに接続する。絶縁筒１３には、放射素子１４ａ〜１４ｄに対応させて反射素子１６ａ〜１６ｄを装着すると共に、絶縁筒１３の先端にアーム１７を設け、このアーム１７に放射素子１４ａ〜１４ｄに対応させて導波素子１８ａ〜１８ｄを複数段配列する。【選択図】      図１
2006087138.tif 000002
【特許請求の範囲】
【請求項１】
取付基板と、前記取付基板の一方の面に装着される絶縁筒と、前記絶縁筒の先端に中心軸を合わせて直線状に設けられるアームと、前記アーム及び絶縁筒に装着される複数の導波素子、放射素子及び反射素子からなる第１の多素子八木式アンテナと、前記アーム及び絶縁筒に前記第１の多素子八木式アンテナの各素子と回転対称の位置で且つ互いに直交させて十字状に装着される複数の導波素子、放射素子及び反射素子からなる第２の多素子八木式アンテナと、前記取付基板の他方の面に設けられ、前記第１及び第２の多素子八木式アンテナの放射素子にそれぞれ同軸ケーブルを介して接続される１対の入出力接栓とを具備し、
前記第１及び第２の多素子八木式アンテナの導波素子を前記アームに装着すると共に前記放射素子及び反射素子を前記絶縁筒に装着し、且つ前記第１及び第２の多素子八木式アンテナの各素子を大地に対してほぼ４５°の角度で配置することを特徴とする偏波ダイバーシティアンテナ装置。
【発明の詳細な説明】
【技術分野】
【０００１】
本発明は、例えば携帯電話をはじめとする移動体の通信基地局用アンテナとして用いられる偏波ダイバーシティアンテナ装置に関する。
【背景技術】
【０００２】
従来、携帯電話等の移動体通信基地局用アンテナは、通常、通信品質を向上するために２系統（２ブランチ）以上の八木式アンテナを用いたダイバーシティ受信により通信を行なっている。八木式アンテナを使用してダイバーシティ受信（空間ダイバーシティ）を行なう場合、通常２基以上のアンテナを所定の間隔で設置する必要がある。しかし、設置スペースの都合や、美観の問題などの制約により、理想的な環境に設置できない場合がある。
【０００３】
図７は、八木式アンテナを用いてダイバーシティ受信を行なう場合の従来の設置例を示したもので、（ａ）は平面図、（ｂ）は側面図である。図７に示す設置例では、２基の八木式アンテナ１ａ、１ｂを取付金具２により取付支柱３に固定している。このとき２基の八木式アンテナ１ａ、１ｂは、大地に対し水平方向に所定の間隔Ｄで配置され、ダイバーシティ受信による通信が行なわれるようにしている。
【０００４】
図８は、ダイバーシティ受信を行なう場合の他の設置例を示したもので、（ａ）は平面図、（ｂ）は側面図である。図８に示す設置例では、図７の場合と同様に２基の八木式アンテナ１ａ、１ｂを取付金具２ａ、２ｂにより取付支柱３に固定している。このとき２基の八木式アンテナ１ａ、１ｂは、大地に対し垂直方向に所定の間隔Ｄで配置され、ダイバーシティ受信による通信が行なわれるようにしている。
【０００５】
上記図７及び図８では、２基の八木式アンテナ１ａ、１ｂの大地に対する偏波が垂直の場合を示しているが、大地に対し−４５°と＋４５°の偏波の組合せや、水平と垂直の組合せによる偏波ダイバーシティ受信を行なうことも可能である。
【発明の開示】
【発明が解決しようとする課題】
【０００６】
しかし、上記従来のダイバーシティ受信の方法は、アンテナが複数基となり、アンテナの数量分の設置スペースが確保できない場合や、美観の問題で複数基設置できない場合には、ダイバーシティ受信を行なうことができないという問題があった。
【０００７】
ここで、アンテナ間隔Ｄは、ダイバーシティ性能の維持や、一方のアンテナからの送信波が他方のアンテナを経由して受信機へ回り込む経路を抑制するために、所定の距離以上に設定してアンテナ間結合量を抑制する必要があることから、アンテナ間隔Ｄを小さくすることができなかった。
【０００８】
一般に、２つのアンテナ間の距離が近づくと単体の性能が劣化し、偏波面が著しく乱れてしまうという問題がある。特に偏波ダイバーシティ方式の場合、空間的に離す必要性はこの性能劣化を抑える以外に理由は無く、出来れば１本にまとめるのが理想であり、また、課題となっている。
【０００９】
また、人が持ち運びする携帯電話では必ずしも適切なアンテナ角度にならないので、特に見通し圏内であれば、携帯電話に適した４５度の角度を持った直線偏波を送受できるものが望まれている。
【００１０】
また、別の問題点として、電波を反射・散乱させる地物と移動局との間の距離が短いほど、空間ダイバーシティ方式の場合はアンテナ間隔Ｄを大きく取らないとブランチ間の空間相関が上昇し、ダイバーシティ効果を得にくくなるので、例えばトンネル内等、狭い空間に位置する移動局と通信を行なう場合にはアンテナ間隔Ｄを非常に大きく取らなければならず、良好な通信を実現するためには大きな設置スペースを必要としていた。
【００１１】
更に、取付金具類も含めて複数必要となることや、これらが大型化することとなり、質量や受風荷重の面から機械強度を考慮し、取付支柱も相応に大型なものが必要となるため、更にスペースの確保が困難となり、かつ美観上も劣ることになり、また、工事施工性についても容易ではないという問題があった。
【００１２】
本発明は上記の課題を解決するためになされたもので、クロス式八木アンテナにおいて結合損失の向上を目指し、偏波ダイバーシティへの応用を図ったものである。着目した偏波ダイバーシティ方式は、受信波の偏波面の違いを利用するものであり、受信された偏波間に相関が無ければ目的は達する。従って、空間ダイバーシティ方式のようなブランチ間の空間相関を要さない。これらの理由から、携帯電話をはじめとする移動体通信基地局用八木式アンテナにおいて、アンテナ１基分の設置スペースで直線偏波のダイバーシティ受信及びダイバーシティ送信を可能とし、小形、軽量で設置場所の制約を受けにくく、経済性及び美観上優れ、かつ垂直支柱または水平支柱のどちらにも取付可能で、工事施工性の良い偏波ダイバーシティアンテナ装置を提供することを目的とする。
【課題を解決するための手段】
【００１３】
本発明に係る偏波ダイバーシティアンテナ装置は、取付基板と、前記取付基板の一方の面に装着される絶縁筒と、前記絶縁筒の先端に中心軸を合わせて直線状に設けられるアームと、前記アーム及び絶縁筒に装着される複数の導波素子、放射素子及び反射素子からなる第１の多素子八木式アンテナと、前記アーム及び絶縁筒に前記第１の多素子八木式アンテナの各素子と回転対称の位置で且つ互いに直交させて十字状に装着される複数の導波素子、放射素子及び反射素子からなる第２の多素子八木式アンテナと、前記取付基板の他方の面に設けられ、前記第１及び第２の多素子八木式アンテナの放射素子にそれぞれ同軸ケーブルを介して接続される１対の入出力接栓とを具備し、前記第１及び第２の多素子八木式アンテナの導波素子を前記アームに装着すると共に前記放射素子及び反射素子を前記絶縁筒に装着し、且つ前記第１及び第２の多素子八木式アンテナの各素子を大地に対してほぼ４５°の角度で配置することを特徴とする。
【発明の効果】
【００１４】
本発明によれば、アンテナ素子を十字状に配置して２系統のアンテナを構成することにより、外見上１基のアンテナでダイバーシティ受信を行なうことができる。また、アンテナ素子の中心軸交点において、一方のアンテナ素子より他方のアンテナ素子を見たときの面積が素子の断面積だけとなるので、アンテナ素子同士が接近した状態にも拘わらず結合する電界成分が抑えられ、２系統間のアンテナ間で良好な結合量特性が得られる。従って、受信ダイバーシティアンテナの一方のブランチに送信波を乗せることが可能となり、送信ダイバーシティアンテナとして使用することができる。すなわち、アンテナ１基分の設置スペースでダイバーシティ受信及びダイバーシティ送信が可能となり、携帯電話に必要な直線偏波を送受できると共に、小形、軽量で設置場所の制約を受けにくく、かつ経済性にも優れているという大きな効果が得られる。
【００１５】
また、各アンテナ素子は、アンテナ中心軸に対して９０°回転対称に形成しているので、アンテナ取付金具を含むアンテナ全体を、アンテナ中心軸に対して９０°または−９０°回転することにより、大地に対するアンテナ素子の設置角度を変えることなく、垂直な支柱または水平な支柱のどちらにも取付けることができる。
【発明を実施するための最良の形態】
【００１６】
以下、図面を参照して本発明の実施形態を説明する。  
（第１実施形態）
図１は、本発明の第１実施形態に係る偏波ダイバーシティアンテナ装置の構成例を示したもので、（ａ）は正面図、（ｂ）は左側面図、（ｃ）は背面図である。図１において、１１は絶縁部材により例えば円状に形成された取付基板で、この取付基板１１の一方の面に入出力接栓１２ａ、１２ｂが設けられ、他方の面の中心部に絶縁筒１３が装着される。上記入出力接栓１２ａ、１２ｂは、図１（ｂ）に示すように取付基板１１の中心部より側方に変位して設けられる。また、入出力接栓１２ａ、１２ｂは、相互変調雑音を防止するためにアンテナ側中心導体及び給電線側接栓の中心導体を銀メッキあるいは金メッキ処理する。そして、上記絶縁筒１３には、先端近傍の外周面に長さがほぼ１／４波長の放射素子１４ａ、１４ｂをその中心軸が絶縁筒１３の中心軸に一致し、かつ互いに直交するように装着する。この場合、放射素子１４ａ、１４ｂは、例えば大地に対して±４５°となる位置に配置する。
【００１７】
また、上記絶縁筒１３には、上記放射素子１４ａ、１４ｂと回転対称となる位置に放射素子１４ｃ、１４ｄを配置し、放射素子１４ａと１４ｃ及び放射素子１４ｂと１４ｄを対にした２系統のダイポールアンテナを構成する。この２系統のダイポールアンテナは、それぞれ同軸ケーブル１５ａ、１５ｂにより入出力接栓１２ａ、１２ｂに接続する。上記ダイポールアンテナと同軸ケーブル１５ａ、１５ｂの接続に際しては、平衡・不平衡の変換回路を適宜挿入する。
【００１８】
次に、絶縁筒１３には、放射素子１４ａ〜１４ｄと取付基板１１との間において、放射素子１４ａ〜１４ｄから所定の距離に、絶縁筒１３の中心軸を回転軸とする角度が放射素子１４ａ〜１４ｄと同一になるように１／４波長よりやや長い反射素子１６ａ〜１６ｄを装着する。
【００１９】
更に、絶縁筒１３の先端に中心軸を合わせてアーム１７を設け、このアーム１７にその中心軸を回転軸とする角度が放射素子１４ａ〜１４ｄと同一になるように、１／４波長よりやや短い導波素子１８ａ〜１８ｄを所定の距離をおいて複数段、例えば６段配列する。
【００２０】
上記実施形態において、絶縁筒１３及びアーム１７の中心軸を回転軸とする各素子の角度は、図１（ｂ）に示す左側面図の上方を０°としたとき、４５°、１３５°、２２５°、３１５°となる。
【００２１】
上記の構成とすることにより、反射素子１６ａ、１６ｃ、または反射素子１６ｂ、１６ｄがそれぞれ対となって八木式アンテナの反射器として働き、また、導波素子１８ａ、１８ｃ、または導波素子１８ｂ、１８ｄがそれぞれ対となって八木式アンテナの導波器として働くことにより、導波器方向に指向性感度を持つ２系統の八木式アンテナを外見上１基のアンテナとすることができる。上記のように２系統の八木式アンテナを備えることにより、外見上１基のアンテナでダイバーシティ送受信が可能となる。
【００２２】
また、人が携帯電話を持ち運びするとき、必ずしも適切なアンテナ角度とはなっていないが、各素子を大地に対して±４５°の位置に設置することにより、ダイバーシティ効果を高め、また、見通し距離内でも偏波面が一致する確率を高めることができる。
【００２３】
また、放射素子１４ａ、１４ｃ及び放射素子１４ｂ、１４ｄからなる２系統のダイポールの中心軸交点において、一方のダイポールより他方のダイポールを見たときの面積が素子の断面積だけとなるので、ダイポール同士が接近した状態にも拘わらず結合する電界成分が抑えられ、八木式アンテナを構成した場合においても２系統間の結合量を抑えて良好に動作する。この結果、携帯電話に必要な直線偏波の送受信が可能になる。
【００２４】
図２は、上記第１実施形態に係る２系統の八木式アンテナ間の結合量特性を示したもので、中心周波数ｆo±５パーセントの周波数帯域で、−２７ｄＢ以下の良好な結合量特性が得られる。
【００２５】
上記のように良好な結合量特性が得られるので、受信ダイバーシティアンテナの一方のブランチに送信波を乗せることが可能となり、送信ダイバーシティアンテナとして使用することができる。従って、送信機の仕様、性能、あるいは制限が厳しい場合でも、送信ダイバーシティを行なうことができ、その結果、例えばＷ−ＣＤＭＡの送信ダイバーシティにも対応できると共に、次世代の機器に対しても十分に対応可能である。
【００２６】
なお、上記第１実施形態では、絶縁筒１３及びアーム１７の中心軸を回転軸とする各素子の角度を、図１（ｂ）に示す左側面図の上方を０°としたとき、４５°、１３５°、２２５°、３１５°に設定した場合について示したが、その他、例えば０°、９０°、１８０°、２７０°に設定、すなわち、各素子を水平及び垂直に設定しても良い。また、上記絶縁筒１３及びアーム１７の中心軸を回転軸とする各素子の角度は、隣り合う素子同士の角度が９０°であれば、その他の角度としても良い。
【００２７】
また、上記第１実施形態では、絶縁筒１３とアーム１７によりアンテナ素子装着用のアームを構成した場合について説明したが、１本の絶縁筒またはアームに対して全てのアンテナ素子を装着するようにしても良いことは勿論である。
【００２８】
（第２実施形態）
次に本発明の第２実施形態について説明する。  
図３（ａ）は本発明の第２実施形態に係る偏波ダイバーシティアンテナ装置の平面図、同図（ｂ）は正面図である。この第２実施形態は、上記第１実施形態に示した偏波ダイバーシティアンテナを取付金具により支柱に取付ける場合の構成例について示したものである。
【００２９】
先ず、入出力接栓１２ａ、１２ｂの取付基板１１への取付面からの長さ及び入出力接栓１２ａ、１２ｂ同士の間隔を入出力接栓１２ａ、１２ｂの外径のほぼ２．５倍以上に設定する。そして、取付基板１１の一方の面、すなわち入出力接栓１２ａ、１２ｂが設けられている面の中心部に角度可変金具２０を介してアンテナ取付金具３１を装着し、このアンテナ取付金具３１を支柱３２に取付ける。この場合、上記アンテナ取付金具３１は、図３（ａ）に示すようにアンテナ中心軸に対し、入出力接栓１２ａ、１２ｂと反対側にオフセットして配置し、施工性を高めている。
【００３０】
上記角度可変金具２０は、２枚の固定基板２１ａ、２１ｂを所定の間隔を保って配置すると共に、その内側に可動基板２２ａ、２２ｂを設け、この可動基板２２ａ、２２ｂの基部を軸２３により固定基板２１ａ、２１ｂに回動可能に取付ける。また、固定基板２１ａ、２１ｂは、先端側に円弧状の長穴２４を設け、この長穴２４の部分で可動基板２２ａ、２２ｂをボルト２５及びナット２６により保持する。すなわち、ボルト２５及びナット２６を緩めると、長穴２４の範囲内で可動基板２２ａ、２２ｂが移動可能となり、ボルト２５及びナット２６を締め付けることにより、可動基板２２ａ、２２ｂが固定基板２１ａ、２１ｂに固定される。
【００３１】
上記固定基板２１ａ、２１ｂは、ねじ２７等によりアンテナ取付金具３１に固着され、また、可動基板２２ａ、２２ｂは、固定基板２１ａ、２１ｂより突出した先端部がねじ２８により取付基板１１に取付けられる。
【００３２】
上記角度可変金具２０は、ボルト２５及びナット２６を緩めると、可動基板２２ａ、２２ｂが長穴２４の範囲で回動可能となるので、図３（ｂ）に示す上下方向にアンテナを移動でき、所望のサービスエリアを考慮した方向調整が可能となる。アンテナの方向を調整した後は、ボルト２５及びナット２６を締め付けて固定する。
【００３３】
上記のように取付基板１１とアンテナ取付金具３１との間に角度可変金具２０を設けることにより、アンテナの方向を任意に調整することができる。また、入出力接栓１２ａ、１２ｂの取付基板１１への取付面からの長さ及び入出力接栓１２ａ、１２ｂ同士の間隔を入出力接栓１２ａ、１２ｂの外径のほぼ２．５倍以上に設定すると共に、アンテナ取付金具３１をアンテナ中心軸に対し、入出力接栓１２ａ、１２ｂと反対側にオフセットして配置することにより、例えば外部ケーブルの接続や防水テーピング作業等の施工性を高めることができる。
【００３４】
更に、本実施形態に係るアンテナ素子は、アンテナ中心軸に対して９０°回転対称であることから、アンテナ取付金具３１を含むアンテナ全体を、アンテナ中心軸に対して９０°または−９０°回転することにより、大地に対するアンテナ素子の設置角度を変えることなく、大地に対して垂直な支柱３２または水平な支柱のどちらにも取付けることが可能である。
【００３５】
（第３実施形態）
次に本発明の第３実施形態について説明する。  
図４（ａ）は本発明の第３実施形態に係る偏波ダイバーシティアンテナ装置の平面図、同図（ｂ）は正面図である。この第３実施形態は、上記第２実施形態において、アンテナ素子部全体を例えば円筒形状の絶縁カバー３５で覆ったものである。この絶縁カバー３５の両端部には、最下部と一方の側部に予め水抜き穴３６が設けられるが、製造時に詰栓（図示せず）される。この詰栓は、任意に着脱することが可能となっている。そして、完成した偏波ダイバーシティアンテナ装置を実際に垂直あるいは水平の支柱に装着した場合には、上記結線状態の水抜き穴３６のうち、下側に位置する２個所の水抜き穴３６に対する詰栓を取り除いて水抜きの作用を持たせる。
【００３６】
上記のようにアンテナ素子部を絶縁カバー３５で覆う場合、第２実施形態で説明したように入出力接栓１２ａ、１２ｂの取付基板１１への取付面からの長さ及び入出力接栓１２ａ、１２ｂ同士の間隔を入出力接栓１２ａ、１２ｂの外径のほぼ２．５倍以上に設定することにより、絶縁カバー３５の取付作業を容易に行なうことができる。
【００３７】
また、絶縁カバー３５の最下部と一方の側部に予め水抜き穴３６を設けることにより、アンテナの設置条件等に合わせてアンテナ装置を９０°回転させた場合においても、回転によって下側に位置した水抜き穴３６の詰栓を取り除くだけで水抜きの作用を持たせることができる。
【００３８】
上記のようにアンテナ素子部分全体を絶縁カバー３５で覆うことにより、外部からの飛来物に対するアンテナ強度を向上でき、また、耐候性を高めると共に降雪、降雨等による性能の劣化を抑え、かつ美観上においても優れたものとすることができる。
【００３９】
（第４実施形態）
次に本発明の第４実施形態について説明する。  
図５は、本発明の第４実施形態に係るダイバーシティアンテナの製造方法について示したもので、（ａ）はアンテナ素子構造の展開図を示す正面図、（ｂ）は底面図である。また、図６は、上記図５で構成されたアンテナ素子の曲げ加工後の形状と、使用状態の一例を示したもので、（ａ）は平面図、（ｂ）は正面図、（ｃ）は左側面図である。この第４実施形態では、上記各実施形態で示した導波素子１８ａ〜１８ｄ等のアンテナ素子をそれぞれ１枚の板を加工して構成する場合について示したものである。
【００４０】
すなわち、図５及び図６に示すように、２対の素子部４１ａ〜４１ｄと素子支持部４２を１枚の抜き板の曲げ加工により一体物のアンテナ素子４０を製作し、角アーム５０に取付けるように構成したものである。
【００４１】
上記素子支持部４２は、図５に示すように４つの部材４２ａ〜４２ｄからなり、それぞれ破線部４３において曲げ加工される。そして、部材４２ａ、４２ｃの一方の側部に２対の素子部４１ａ〜４１ｄが所定の間隔でくし状に連接され、破線部４４において外側に曲げ加工される。部材４２ａの基部に凹部４５が形成されると共に部材４２ｄの先端に凸部４６が形成され、折曲げ加工した際に凹部４５と凸部４６が係合するようになっている。また、部材４２ａ、４２ｃには、ボルト挿通用の穴４７が設けられる。
【００４２】
上記の構成において、素子支持部４２は部材４２ａ〜４２ｄを破線部４３においてそれぞれ内側に９０°曲げ加工を施して角型形状とし、また、素子部４１ａ〜４１ｄは破線部４４において外側に９０°曲げ加工を施して同一平面上に十字状に位置させることにより、アンテナ素子４０を完成する。
【００４３】
次に、図６に示すように上記完成したアンテナ素子４０の素子支持部４２内に角アーム５０を挿入し、素子支持部４２の穴４７を角アーム５０の所定の位置に設けられている穴（図示せず）に一致させ、ボルト５１及びナット５２により固定する。これにより、２対の素子部４１ａ〜４１ｄが角アーム５０に対し、十字状に直交して配置された形状となる。上記アンテナ素子４０を角アーム５０に対して所定の間隔で複数取付け、導波素子を構成することにより、上記各実施形態に示したような偏波ダイバーシティアンテナ装置を完成する。ここでは導波素子への構成のみについて説明したが、用途に応じて反射素子用としても構成可能である。
【００４４】
上記のように素子部４１ａ〜４１ｄと素子支持部４２を１枚の抜き板の曲げ加工により一体物でアンテナ素子４０を製作し、角アーム５０に対して角型形状の支持構造を兼ね備えたアンテナ素子構造とすることにより、素子の支持台等が不要になると共に角アーム５０に対する組込みが容易となり、材料、加工、組込み等、全ての面で低コスト化が可能となり、しかも、良好な歩留まりが得られると共に結合損失を向上することができる。
【図面の簡単な説明】
【００４５】
【図１】本発明の第１実施形態に係る偏波ダイバーシティアンテナ装置の構成図。
【図２】同実施形態におけるアンテナ間の結合量特性を示す図。
【図３】本発明の第２実施形態に係る偏波ダイバーシティアンテナ装置の構成図。
【図４】本発明の第３実施形態に係る偏波ダイバーシティアンテナ装置の構成図。
【図５】本発明の第４実施形態に係るアンテナ素子構造の展開図を示す図。
【図６】同実施形態におけるアンテナ素子の曲げ加工後の形状と、使用状態の一例を示す図。
【図７】従来の八木式アンテナを用いてダイバーシティ受信を行なう場合の設置例を示す図。
【図８】従来の八木式アンテナを用いてダイバーシティ受信を行なう場合の他の設置例を示す図。
【符号の説明】
【００４６】
１１…取付基板、１２ａ、１２ｂ…入出力接栓、１３…絶縁筒、１４ａ〜１４ｄ…放射素子、１５ａ、１５ｂ…同軸ケーブル、１６ａ〜１６ｄ…反射素子、１７…アーム、１８ａ〜１８ｄ…導波素子、２０…角度可変金具、２１ａ、２１ｂ…固定基板、２２ａ、２２ｂ…可動基板、２３…軸、２４…長穴、２５…ボルト、２６…ナット、２７、２８…ねじ、３１…アンテナ取付金具、３２…支柱、３５…絶縁カバー、３６…水抜き穴、４０…アンテナ素子、４１ａ〜４１ｄ…素子部、４２…素子支持部、４２ａ〜４２ｄ…部材、４３、４４…破線部、４５…凹部、４６…凸部、４７…穴、５０…角アーム、５１…ボルト、５２…ナット。
【図１】
2006087138.tif 000003
【図２】
2006087138.tif 000004
【図３】
2006087138.tif 000005
【図４】
2006087138.tif 000006
【図５】
2006087138.tif 000007
【図６】
2006087138.tif 000008
【図７】
2006087138.tif 000009
【図８】
2006087138.tif 000010